(57)【要約】【課題】  特にエッチングタンク内の各スプレーノズルによるエッチング液の撹拌作用によって、均一且つ迅速なエッチング効果を達成する、回路板のエッチング装置を提供する。【解決手段】  本考案は、エッチング液が充填され、両側にそれぞれ入口（１１）及び出口（１２）を有するエッチングタンク（１０）を含み、エッチングタンク（１０）の下側に下部回転ローラー（２１）が配置され、下部回転ローラー（２１）セットの両側それぞれに下部ローラー（２２）が配置されると共に、各下部回転ローラー（２１）セットの下方に下部スプレー部材（３０）が設けられ、エッチングタンク（１０）の上側に上部回転ローラー（４１）が配置され、上部回転ローラー（４１）セットの両側それぞれに上部ローラー（４２）が配置されると共に、各上部ローラー（４２）の上方に上部スプレー部材（５０,５１）が設けられることを特徴とする。【選択図】  図１
0003123551.tif 000002
【実用新案登録請求の範囲】
【請求項１】
エッチング液が充填され、両側にそれぞれ入口（１１）及び出口（１２）を有するエッチングタンク（１０）を含み、
該エッチングタンク（１０）の下側に下部ローラー軸（２０）に環装される下部回転ローラー（２１）が所定数セットされて横方向に沿って配置され、該下部回転ローラー（２１）セットの両側それぞれに下部ローラー（２２）が所定数セットされて横方向に沿って配置されると共に、該各下部回転ローラー（２１）セットの下方に、上側へエッチング液を噴出する下部スプレーノズル（３１）を有する下部スプレー部材（３０）が設けられ、
前記エッチングタンク（１０）の上側に上部ローラー軸（４０）に環装される上部回転ローラー（４１）が所定数セットされて横方向に沿って配置され、該上部回転ローラー（４１）セットの両側それぞれに上部ローラー（４２）が所定数セットされて横方向に沿って配置されると共に、該各上部ローラー（４２）の上方に、下側へエッチング液を噴出する傾斜スプレーノズル（５２,５３）を有する上部スプレー部材（５０,５１）が設けられることを特徴とする回路板のエッチング装置。
【請求項２】
前記上部スプレー部材における、一側から数えて奇数番目の上部スプレー部材（５０）が有する傾斜スプレーノズル（５２）の傾斜方向に対して、偶数番目の上部スプレー部材（５１）が有する傾斜スプレーノズル（５３）の傾斜方向が反対しており、
前記上部ローラー（４２）が弾性材からなると共に、回転可能であり、前記下部ローラー（２２）が弾性材からなると共に、回転可能であり、
前記入口（１１）の上下側にそれぞれ防水ローラー（１３）が設けられると共に、前記出口（１２）の上下側にそれぞれ防水ローラー（１４）が設けられることを特徴とする請求項１に記載の回路板のエッチング装置。
【請求項３】
前記傾斜スプレーノズル（５２,５３）の噴出孔（５４）が円形又は楕円形であり、
前記エッチングタンク（１０）における出口（１２）の近傍に反転機構（８０）が設けられ、
前記防水ローラー（１３,１４）が弾性材からなり、
前記上部回転ローラー（４１）セットと下部回転ローラー（２１）セットとが対応する位置関係にあることを特徴とする請求項１に記載の回路板のエッチング装置。
【考案の詳細な説明】
【技術分野】
【０００１】
本考案は、特にエッチングタンク内の各スプレーノズルによるエッチング液の撹拌作用によって、均一且つ迅速なエッチング効果を達成する、回路板のエッチング装置に関するものである。
【背景技術】
【０００２】
図６に示すように、従来の回路板のエッチング機は、通常、エッチングタンクの上層と下層との間に軸ロッド（１００）上に固定される複数の上部ローラー（１０１）及び複数の下部ローラー（１０２）を有し、それら上部ローラー（１０１）及び下部ローラー（１０２）の上方及び下方における適当位置にそれぞれ上部スプレー部材（１１０）及び下部スプレー部材（１１１）が設けられ、該上部スプレー部材（１１０）及び下部スプレー部材（１１１）上にそれぞれ、回路板（１２０）の表面及び裏面にエッチング液を噴きつけるための上部スプレーノズル（１１２）及び下部スプレーノズル（１１３）が設けられ、該各上部スプレーノズル（１１２）及び下部スプレーノズル（１１３）により回路板（１２０）の表面及び裏面にエッチング液を噴きつけて、回路板（１２０）にエッチングを施すことにより、該回路板（１２０）上における不必要な銅箔部分を除去し、回路板（１２０）上に配線を形成する。
【考案の開示】
【考案が解決しようとする課題】
【０００３】
上述したように、前記従来の回路板のエッチング機は、下部スプレーノズル（１１３）により回路板（１２０）の裏面にエッチング液を噴きつけてエッチングを施す場合おいて、エッチング液が回路板（１２０）上の銅箔に接触した後、自然にエッチングタンク内に落ちて回収されて再利用されると共に、該エッチング液は連続的に噴出し、快速的に銅箔と接触してエッチングを施すので、回路板（１２０）のエッチング速度及び均一度を向上させるものであった。
しかしながら、図７に示すように、回路板（１２０）の表面にエッチングを施す場合においては、各上部スプレーノズル（１１２）から円形にエッチング液が噴出するが、その殆どに無意味な重複部分を有することから、該回路板（１２０）の表面中央部におけるエッチング液の撹拌速度が側縁部と比べて緩慢になると共に、エッチング液の流れがスムーズにはならないので、そのまま残留することになり、水滴現象が発生してしまう。その結果、回路板（１２０）の表面中央部が厚くなり、その周縁部が薄くなるので、均一にエッチングを施すことができないといった欠点があった。
【課題を解決するための手段】
【０００４】
本考案の請求項１は、エッチング液が充填され、両側にそれぞれ入口（１１）及び出口（１２）を有するエッチングタンク（１０）を含み、
該エッチングタンク（１０）の下側に下部ローラー軸（２０）に環装される下部回転ローラー（２１）が所定数セットされて横方向に沿って配置され、該下部回転ローラー（２１）セットの両側それぞれに下部ローラー（２２）が所定数セットされて横方向に沿って配置されると共に、該各下部回転ローラー（２１）セットの下方に、上側へエッチング液を噴出する下部スプレーノズル（３１）を有する下部スプレー部材（３０）が設けられ、
前記エッチングタンク（１０）の上側に上部ローラー軸（４０）に環装される上部回転ローラー（４１）が所定数セットされて横方向に沿って配置され、該上部回転ローラー（４１）セットの両側それぞれに上部ローラー（４２）が所定数セットされて横方向に沿って配置されると共に、該各上部ローラー（４２）の上方に、下側へエッチング液を噴出する傾斜スプレーノズル（５２,５３）を有する上部スプレー部材（５０,５１）が設けられることを特徴とする回路板のエッチング装置を提供するものであり、
本考案の請求項２は、前記上部スプレー部材における、一側から数えて奇数番目の上部スプレー部材（５０）が有する傾斜スプレーノズル（５２）の傾斜方向に対して、偶数番目の上部スプレー部材（５１）が有する傾斜スプレーノズル（５３）の傾斜方向が反対しており、
前記上部ローラー（４２）が弾性材からなると共に、回転可能であり、前記下部ローラー（２２）が弾性材からなると共に、回転可能であり、
前記入口（１１）の上下側にそれぞれ防水ローラー（１３）が設けられると共に、前記出口（１２）の上下側にそれぞれ防水ローラー（１４）が設けられることを特徴とする請求項１に記載の回路板のエッチング装置を提供するものであり、
本考案の請求項３は、前記傾斜スプレーノズル（５２,５３）の噴出孔（５４）が円形又は楕円形であり、
前記エッチングタンク（１０）における出口（１２）の近傍に反転機構（８０）が設けられ、
前記防水ローラー（１３,１４）が弾性材からなり、
前記上部回転ローラー（４１）セットと下部回転ローラー（２１）セットとが対応する位置関係にあることを特徴とする請求項１に記載の回路板のエッチング装置を提供するものである。
【考案の効果】
【０００５】
本考案は上記の課題を解決するものであり、エッチング液が充填され、両側にそれぞれ入口及び出口を有するエッチングタンクを含み、
該エッチングタンクの下側に下部ローラー軸に環装される下部回転ローラーが所定数セットされて横方向に沿って配置され、該下部回転ローラーセットの両側それぞれに下部ローラーが所定数セットされて横方向に沿って配置されると共に、該各下部回転ローラーセットの下方に、上側へエッチング液を噴出する下部スプレーノズルを有する下部スプレー部材が設けられ、
前記エッチングタンクの上側に上部ローラー軸に環装される上部回転ローラーが所定数セットされて横方向に沿って配置され、該上部回転ローラーセットの両側それぞれに上部ローラーが所定数セットされて横方向に沿って配置されると共に、該各上部ローラーの上方に、下側へエッチング液を噴出する傾斜スプレーノズルを有する上部スプレー部材が設けられ、
前記上部スプレー部材における、一側から数えて奇数番目の上部スプレー部材が有する傾斜スプレーノズルの傾斜方向に対して、偶数番目の上部スプレー部材が有する傾斜スプレーノズルの傾斜方向が反対しており、
前記上部ローラーが弾性材からなると共に、回転可能であり、前記下部ローラーが弾性材からなると共に、回転可能であり、
前記入口の上下側にそれぞれ防水ローラーが設けられると共に、前記出口の上下側にそれぞれ防水ローラーが設けられ、
前記傾斜スプレーノズルの噴出孔が円形又は楕円形であり、
前記エッチングタンクにおける出口の近傍に反転機構が設けられ、
前記防水ローラーが弾性材からなり、
前記上部回転ローラーセットと下部回転ローラーセットとが対応する位置関係にあることから、回路板が上部ローラーと下部ローラーと間を移動する時、各スプレーノズルからエッチング液が噴出され、撹拌状態となるので、回路板において均一にエッチングを施すことができると共に、エッチングの反応もより効果的となる。
【考案を実施するための最良の形態】
【０００６】
以下、添付図面を参照して本考案の好適な実施の形態を詳細に説明する。
【実施例】
【０００７】
図１は本考案に係る回路板のエッチング装置の側面断面図であり、図２は本考案に係る回路板のエッチング装置における上部スプレー部材の傾斜スプレーノズルを左側へ傾斜させた時の側面図であり、図３は本考案に係る回路板のエッチング装置における上部スプレー部材の傾斜スプレーノズルを右側へ傾斜させた時の側面図であり、図４は本考案に係る回路板のエッチング装置における傾斜スプレーノズルの部分斜視図であり、図５は本考案に係る回路板のエッチング装置において回路板上にエッチング液が撹拌している状態を示す平面図である。
【０００８】
図１に示すように、本考案の回路板のエッチング装置は、エッチング液が充填され、両側にそれぞれ入口（１１）及び出口（１２）を有するエッチングタンク（１０）を含み、該入口（１１）と出口（１２）における上下側にそれぞれ、対応し合う弾性を有する防水フィルター（１３,１４）が設けられる。
【０００９】
更に、前記エッチングタンク（１０）の下層に横方向に隣接するように複数の下部回転ローラー（２１）が環装される複数の下部ローラー軸（２０）が設けられ、該複数の下部回転ローラー（２１）の両側に軸を中心として回転する下部ローラー（２２）が横方向に設けられ、該各下部回転ローラー（２１）の下方に、上側にエッチング液を噴出する下部スプレーノズル（３１）を有する下部スプレー部材（３０）が設けられる。尚、前記下部スプレーノズル（３１）における噴出孔（図示せず）は、従来と同様に円形構造であってもよい。
【００１０】
図１乃至図３に示すように、前記エッチングタンク（１０）の上層における、下部ローラー軸（２０）及び下部回転ローラー（２１）と対応する位置に、横方向に複数の上部回転ローラー（４１）が環装される複数の上部ローラー軸（４０）が設けられ、該複数の上部回転ローラー（４１）の両側における、前記下部ローラー（２２）と対応する位置に横方向に弾性を有する上部ローラー（４２）が設けられ、該上部ローラー（４２）の上方に、下側にエッチング液を噴出し、エッチング液を撹拌する傾斜スプレーノズル（５２,５３）を有する複数の上部スプレー部材（５０,５１）が設けられる。また、前記上層における、一側から数えて奇数番目の上部スプレー部材（５０）の下側に傾斜スプレーノズル（５２）が設けられると共に、偶数番目の上部スプレー部材（５１）の下側に該傾斜スプレーノズル（５３）が設けられ、該傾斜スプレーノズル（５２）と傾斜スプレーノズル（５３）とは互いに反対する側に傾斜する。尚、前記傾斜スプレーノズル（５２）と傾斜スプレーノズル（５３）は通常、円形を呈するが、図４に示すように、楕円形にしてもよい。
【００１１】
また、図１及び図５に示すように、本考案を使用する時は、先ずエッチングタンク（１０）内にエッチング液を注入するが、この時、エッチング液の注入量は常に入口（１１）及び出口（１２）からの流出量より多めに注入し、エッチング液を上部スプレー部材（５０、５１）の高さで維持させる。そして、エッチングを施す回路板（６０）を入口（１１）から防水ローラー（１３）によりエッチングタンク（１０）内に送り込み、モーター（図示せず）により各下部ローラー軸（２０）及び上部ローラー軸（４０）を内部方向に回転させることにより、該各下部ローラー軸（２０）及び上部ローラー軸（４０）上に設けられる下部回転ローラー（２１）及び上部回転ローラー（４１）を内部方向へ
回転させて、前記回路板（６０）を出口（１２）側へ案内する。この時、下部スプレーノズル（３１）からはエッチング液が噴出され、エッチングタンク（１０）内のエッチング液を撹拌させるので、その回路板（６０）の下方におけるエッチング液により、回路板（６０）の裏面の銅箔に対してエッチングが効果的に施される。
【００１２】
更に、前記回路板（６０）の上方における、上部ローラー（４２）の間の傾斜スプレーノズル（５２,５３）からもエッチングタンク（１０）内を撹拌させるエッチング液が噴出され、この時、図５における矢印に示すように、エッチング液の流れは、回路基板の上面前部から後部にかけて、右から左、左から右への流れが交互に繰り返されている。このような流動方式によれば、回路板（６０）に対してエッチングを効果的に施すことができると共に、配線を均一に形成させることができるという利点がある。
【００１３】
また、図１に示すように、本考案では、回路板（６０）の表裏面を共に均一にエッチングするために、エッチングタンク（１０）の出口（１２）の後方に更に、回路板（６０）を移送するための逆時計回りに回転する移送ローラー軸（７０）が設けられると共に、該移送ローラー軸（７０）上に該移送ローラー軸（７０）の回転に連動する移送ローラー（７１）が設けられ、該移送ローラー（７１）の後方に、該移送ローラー（７１）から移送された回路板（６０）を反転させるための反転機構（８０）（従来技術であるため、その説明を省略する）が設けられ、前記反転機構（８０）により１８０度反転した回路板（６０）は、その後、図１と同様のエッチングタンク（１０）内に移送され、再び前記と同様、表面に対してエッチングが施される。故に、この方法によれば、回路板（６０）の表裏面に対して均一にエッチングを施して配線を形成させることができる。
【００１４】
上述したように、本考案によれば、以下に示すような効果が得られる。
１. エッチングタンク内の液面の高さが上部スプレー部材（５０,５１）より高く設定されることから、回路板（６０）はエッチング液中に完全に浸漬されるので、エッチングの反応速度が極めてスムーズである。
２. 下部スプレーノズル（３１）から噴出されるエッチング液が回路板（６０）の下方のエッチング液を撹拌するので、より迅速にエッチングを施すことができる。
３. 上層に設けられる傾斜方向の異なる傾斜スプレーノズル（５２,５３）からエッチング液を噴出して、エッチングタンク（１０）の上層におけるエッチング液を撹拌させて、上部ローラー（４２）を誘導するので、回路板（６０）に対するエッチングを効果的に施すことができると共に、配線を均一に形成させることができる。
４. エッチングタンク（１０）の後方に更に移送ローラー（７１）及び反転機構（８０）が設けられることから、回路板（６０）を反転させて裏面に対して再びエッチングを施すので、エッチングの品質を向上させることができる。
【００１５】
尚、上述した実施形態は単に本考案の一部の形態であり、本明細書に示す主張の範囲内であれば如何なる形態に構成させてもよく、また、容易に想到し得る範囲内であれば、当然本考案の主張範囲に属することは言うまでもない。
【図面の簡単な説明】
【００１６】
【図１】本考案に係る回路板のエッチング装置の側面断面図である。
【図２】本考案に係る回路板のエッチング装置における上部スプレー部材の傾斜スプレーノズルを左側へ傾斜させた時の側面図である。
【図３】本考案に係る回路板のエッチング装置における上部スプレー部材の傾斜スプレーノズルを右側へ傾斜させた時の側面図である。
【図４】本考案に係る回路板のエッチング装置における傾斜スプレーノズルの部分斜視図である。
【図５】本考案に係る回路板のエッチング装置において回路板上にエッチング液が撹拌している状態を示す平面図である。
【図６】従来のエッチング装置の側面断面図である。
【図７】従来のエッチング装置において、スプレーノズルから回路板に対してエッチング液が噴出された状態を示す平面図である。
【符号の説明】
【００１７】
１０        エッチング液
１１        入口
１２        出口
１３,１４      防水ローラー
２０        下部ローラー軸
２１        下部回転ローラー
２２        下部ローラー
３０        下部スプレー部材
３１        下部スプレーノズル
４０        上部ローラー軸
４１        上部回転ローラー
４２        上部ローラー
５０,５１      上部スプレー部材
５２,５３      傾斜スプレーノズル
５４        噴出孔
６０        回路板
７０        移送ローラー軸
７１        移送ローラー
８０        反転機構
１００      ローラー軸ロッド
１０１      上部ローラー
１０２      下部ローラー
１１０      上部スプレー部材
１１１      下部スプレー部材
１１２      上部スプレーノズル
１１３      下部スプレーノズル
１２０      回路板
【図１】
0003123551.tif 000003
【図２】
0003123551.tif 000004
【図３】
0003123551.tif 000005
【図４】
0003123551.tif 000006
【図５】
0003123551.tif 000007
【図６】
0003123551.tif 000008
【図７】
0003123551.tif 000009